(57)【特許請求の範囲】
【請求項１】
赤外線画像を生成する方法であって：
複数のフレームの各々について、中心アレイデータを生成するようにより速いサンプリング速度でマイクロボロメータアレイの検出器中心領域の複数の中心アレイ要素をサンプリングする段階；
周辺アレイデータを生成するようにより遅いサンプリング速度でマイクロボロメータアレイの検出器周辺領域の複数の周辺アレイ要素をサンプリングする段階であって、前記複数の周辺アレイ要素は複数の副領域を有し、各々の副領域は２つ又はそれ以上の周辺アレイ要素を有し、前記複数の周辺アレイ要素をサンプリングする前記段階は、各々の副領域について、
前記複数のフレームの第１フレームについて各々の副領域の第１サブセットをサンプリングする段階と、
前記複数のフレームの第２フレームについて前記各々の副領域の第２サブセットをサンプリングする段階であって、前記第２サブセットは前記第１サブセットと同じではない、段階と、
を有する、段階；
ディスプレイのディスプレイ中心領域について中心画像データを生成するように前記中心アレイデータを処理する段階；及び
前記ディスプレイのディスプレイ周辺領域について周辺画像データを生成するように前記周辺アレイデータを処理する段階；
を有する方法。
【請求項２】
請求項１に記載の方法であって：
前記第１サブセット及び前記第２サブセットは各々副領域を有する；
方法。
【請求項３】
請求項１に記載の方法であって、前記周辺アレイデータを処理する前記段階は：
前記第１フレーム及び前記第２フレームについて前記複数の周辺アレイ要素の前記第１サブセットから生成される第１画像データを生成する段階；並びに
前記第２フレーム及び第３フレームについて前記複数の周辺アレイ要素の第２サブセットから生成される第２画像データを生成する段階；
を更に有する、方法。
【請求項４】
請求項１に記載の方法であって、前記周辺アレイデータを処理する前記段階は：
前記第１フレームについて前記複数の周辺アレイ要素の前記第１サブセットから生成される第１画像データを生成する段階；及び
前記第２フレームについて前記第１画像データを保つ段階；
を更に有する、方法。
【請求項５】
請求項１に記載の方法であって、前記周辺アレイデータを処理する前記段階は：
前記第１フレームについて前記複数の周辺アレイ要素の前記第１サブセットから生成される第１画像データを生成する段階；及び
前記第２フレームについて前記複数の周辺アレイ要素の前記第２サブセットから生成される第２画像データと前記第１画像データを平均化する段階；  
を更に有する、方法。
【請求項６】
請求項１に記載の方法であって：
前記検出器中心領域を設定するように前記中心アレイ要素として複数のアレイ要素を指定する段階；
を更に有する、方法。
【請求項７】
請求項１に記載の方法であって：
マイクロボロメータ面アレイに対して、１つ又はそれ以上の中心開始アドレス及び１つ又はそれ以上の中心終了アドレスを送ることにより、前記検出器中心領域を設定する段階；
を更に有する、方法。
【請求項８】
請求項１に記載の方法であって：
サンプリングデューティサイクルが変わるにつれて、１つ又はそれ以上の周辺アレイ要素におけるジュール熱の１つ又はそれ以上の変化の影響について補償するように、一定バイアスのデューティサイクルを保つ段階を更に有する；
方法。
【請求項９】
請求項１に記載の方法であって：
サンプリングデューティサイクルが変わるにつれて、１つ又はそれ以上の周辺アレイ要素におけるジュール熱の１つ又はそれ以上の変化の影響について補償するように、前記マイクロボロメータアレイの１つ又はそれ以上のバイアス条件を電気的に調節する段階を更に有する；
方法。
【請求項１０】
請求項１に記載の方法であって：
サンプリングデューティサイクルが変わるにつれて、１つ又はそれ以上の周辺アレイ要素におけるジュール熱の１つ又はそれ以上の変化の影響について補償するように、前記マイクロボロメータアレイの支援回路の動作バイアスを電気的に調節する段階を更に有する；
方法。
【請求項１１】
マイクロボロメータアレイ；及び
１つ又はそれ以上の処理器であって、
複数のフレームの各々について、中心アレイデータを生成するようにより速いサンプリング速度で前記マイクロボロメータアレイの検出器中心領域の複数の中心アレイ要素をサンプリングし、
周辺アレイデータを生成するようにより遅いサンプリング速度で前記マイクロボロメータアレイの検出器周辺領域の複数の周辺アレイ要素をサンプリングし、
ディスプレイのディスプレイ中心領域について中心画像データを生成するように前記中心アレイデータを処理し、
前記ディスプレイのディスプレイ周辺領域について周辺画像データを生成するように前記周辺アレイデータを処理する、
１つ又はそれ以上の処理器；
を有するシステムであって、
前記複数の周辺アレイ要素は複数の副領域を有し、各々の副領域は２つ又はそれ以上の周辺アレイ要素を有し、前記複数の周辺アレイ要素をサンプリングすることは、各々の副領域について、
第１フレームについて前記各々の副領域の第１サブセットをサンプリングし、
第２フレームについて前記各々の副領域の第２サブセットをサンプリングする
ことであり、ここで、前記第２サブセットは前記第１サブセットと同じではない；  
方法。
【請求項１２】
請求項１１に記載のシステムであって：
前記第１サブセット及び前記第２サブセットは各々副領域を有する；
方法。
【請求項１３】
請求項１１に記載のシステムであって、前記周辺アレイデータを前記処理することは：
前記第１フレーム及び前記第２フレームについて前記複数の周辺アレイ要素の前記第１サブセットから生成される第１画像データを生成すること；並びに
前記第２フレーム及び第３フレームについて前記複数の周辺アレイ要素の前記第２サブセットから生成される第２画像データを生成すること；
を更に有する、システム。
【請求項１４】
請求項１１に記載のシステムであって、前記周辺アレイデータを前記処理することは：
前記第１フレームについて前記複数の周辺アレイ要素の前記第１サブセットから生成される第１画像データを生成すること；及び
前記第２フレームについて前記第１画像データを保つこと；
を更に有する、システム。
【請求項１５】
請求項１１に記載のシステムであって、前記周辺アレイデータを前記処理することは：
前記第１フレームについて前記複数の周辺アレイ要素の前記第１サブセットから生成される第１画像データを生成すること；及び
前記第２フレームについて前記複数の周辺アレイ要素の前記第２サブセットから生成される第２画像データと前記第１画像データを平均化すること；  
を更に有する、システム。
【請求項１６】
請求項１１に記載のシステムであって：
前記１つ又はそれ以上の処理器は、前記マイクロボロメータアレイに対して、１つ又はそれ以上の中心開始アドレス及び１つ又はそれ以上の中心終了アドレスを送ることにより、前記検出器中心領域を設定するように更に動作可能である；
システム。
【請求項１７】
請求項１１に記載のシステムであって：
前記１つ又はそれ以上の処理器は、サンプリングデューティサイクルが変わるにつれて、１つ又はそれ以上の周辺アレイ要素におけるジュール熱の１つ又はそれ以上の変化の影響について補償するように、一定バイアスのデューティサイクルを保つように更に動作可能である；
システム。
【請求項１８】
請求項１１に記載のシステムであって：
前記１つ又はそれ以上の処理器は、サンプリングデューティサイクルが変わるにつれて、１つ又はそれ以上の周辺アレイ要素におけるジュール熱の１つ又はそれ以上の変化の影響について補償するように、前記マイクロボロメータアレイの１つ又はそれ以上のバイアス条件を電気的に調節するように更に動作可能である；
システム。
【発明の詳細な説明】
【技術分野】
【０００１】
本発明は、一般に、撮像システムの分野に関し、特に、大きさ、重量、演算容量及び／又は消費電力等の負荷が低減された撮像システムに関する。
【背景技術】
【０００２】
撮像システムは、シーンから光を検出することに応じて信号を生成する検出器と、その信号を処理する処理器と、処理された信号を用いて、シーンの画像を表示するディスプレイとを有する。特定の状況においては、大きさ、重量、演算容量及び／又は消費電力を増加させる。従って、特定の状況下では、処理は、それらの負荷を低減するように、減少されることが可能である。
【０００３】
本発明に従って、撮像システムについての従来技術に関連する不利点及び課題が低減される又は排除されることが可能である。
【図面の簡単な説明】
【０００４】
【図１】シーンの画像を生成するように用いられる撮像システムの実施例を示す図である。
【図２Ａ】焦点面アレイをサンプリングする方法の実施例を示す図である。
【図２Ｂ】焦点面アレイをサンプリングする方法の実施例を示す図である。
【図２Ｃ】焦点面アレイをサンプリングする方法の実施例を示す図である。
【図２Ｄ】焦点面アレイをサンプリングする方法の実施例を示す図である。
【図３】焦点面アレイの中心領域の大きさを設定するように用いられるメッセージングシーケンスの実施例を示す図である。
【発明の概要】
【課題を解決するための手段】
【０００５】
特定の実施形態に従って、焦点面アレイの中心領域の中心アレイ要素は、中心アレイデータを生成するようにより速いサンプリング速度でサンプリングされる。焦点面アレイの周辺領域の周辺アレイ要素は、周辺アレイデータを生成するようにより遅いサンプリング速度又はより粗なサンプリング密度でサンプリングされる。その中心アレイデータは、ディスプレイの中心領域について中心画像データを生成するように処理される。周辺アレイデータは、ディスプレイの周辺領域について周辺画像データを生成するように処理される。
【０００６】
本発明の特定の実施形態は、１つ又はそれ以上の技術的有利点を提供する。一実施形態の技術的有利点は、周辺領域についての処理データが中心領域についての処理データに対して減少されることが可能であり、そのことは、撮像システムの負荷を低減することが可能であることである。一実施形態の他の技術的有利点は、中心領域が調節可能であることである。
【０００７】
本発明の特定の実施形態は、上記の技術的有利点を有さない、一部を有する又は全てを有する。１つ又はそれ以上の他の技術的有利点について、当業者は、図、詳細説明及び特許請求の範囲から容易に理解することができる。
【０００８】
本発明についての、並びに本発明の特徴及び有利点についての十分な理解のために、添付図と関連付けられている以下の詳細説明を参照する。
【発明を実施するための形態】
【０００９】
本発明の実施形態及び本発明の有利点については、図１乃至３を参照することにより十分に理解できる。同じ参照番号は、種々の図について同じ及び対応する構成要素について用いられている。
【００１０】
図１は、シーン１２の画像５０を生成するように用いられることが可能である撮像システム１０の実施例を示している。例示している実施例においては、シーン１２はオブジェクト１４を含んでいる。撮像システム１０は、図示しているように結合されたカメラ１８と、演算システム２０と、ディスプレイ２２とを有する。カメラ１８は、光学系２４と、焦点面アレイ（又は、検出器アレイ）２６と、集積回路２８とを有する。焦点面２６は、焦点領域５２と、周辺領域５４とを有する。演算システム２０は、インタフェース３２と、ロジック３４と、メモリ３６とを有する。ロジック３４は、１つ又はそれ以上のプロセッサ４０と、画像プロセッサ４４等の複数のアプリケーションとを有する。メモリ３６は、複数のアプリケーションを記憶する。ディスプレイ２２は、シーン１２の画像５０を表示する。ディスプレイ２２は、中心領域６２と、周辺領域６４とを有する。
【００１１】
特定の動作の実施例において、システム１０は、中心アレイデータを生成するように、より高速のサンプリング速度で焦点面アレイ２６の中心領域５２の中心アレイ要素をサンプリングすることが可能である。システム１０は、周辺アレイデータを生成するように、より低速のサンプリング速度で焦点面アレイの周辺領域５４の周辺アレイ要素をサンプリングすることが可能である。システム１０は、ディスプレイ２２の中心領域６２についての中心画像データを生成するように中心アレイデータを処理することが可能であり、ディスプレイ２２の周辺領域６４についての周辺画像データを生成するように周辺アレイデータを処理することが可能である。
【００１２】
例示している実施例においては、シーン１２は、シーン１２の画像５０を生成するように用いられることが可能である光を反射する及び／又は出射するオブジェクト１４を有する。カメラ１８は、シーン１２からの光を受け入れる。光学系２４は、焦点面アレイ２６の方に光を方向付けるように光を屈折する又は反射する。光学系２４は、レンズ等の１つ又はそれ以上の光学装置を有することが可能である。焦点面アレイ２６は、光を検出して、その検出された光に応じて検出信号を生成することが可能である検出器要素のアレイ（例えば、二次元アレイ）を有することが可能である。検出器要素に対応する検出器信号は、検出器要素により検出される光の量及び／又は波長を表すアレイデータを有する。焦点面アレイの例としては、ＣＭＯＳ（相補型金属酸化膜半導体）イメージャ、ＣＣＤ（Ｃｈａｒｇｅ  Ｃｏｕｐｌｅｄ  Ｄｅｖｉｃｅｓ）、ハイブリッド赤外線意イメージャ及び非冷却型マイクロボロメータがある。
【００１３】
特定の実施形態においては、焦点面アレイ２６は、中心アレイ要素を有する中心領域５２と、周辺アレイ要素を有する周辺領域５４とを有することが可能である。焦点面アレイ２６はアレイデータ（焦点面アレイデータ、焦点面データ又は検出器データとも呼ばれる）を生成することが可能である。焦点面アレイの中心領域５２は中心データ（中心アレイデータ等）を生成することが可能であり、その中心データは、ディスプレイ２２の中心領域６２（ディスプレイ中心領域）を生成するように用いられることが可能である。焦点面アレイの周辺領域５４は周辺データ（周辺アレイデータ等）を生成することが可能であり、その周辺データは、ディスプレイ２２の周辺領域６４（又は、ディスプレイ周辺領域）を生成するように用いられることが可能である。
【００１４】
中心領域５２及び６２は、何れかの適切な大きさ及び形を有することが可能であり、焦点面アレイ２６及びディスプレイ２２の何れかの部分をそれぞれ、有することが可能である。特定の実施形態においては、中心領域５２及び／又は６２は眼の視野の中心部分に対応し、その眼の視野の中心部分は、眼の視野の周辺部分に比べてより高い正確さを有する視覚的情報を検出する。その実施形態においては、中心部分５２及び６２は、焦点面アレイ２６及びディスプレイ２２のそれぞれの中心に又は中心に近接して位置付けられることが可能であり、周辺領域５４及び６４は、中心領域５２及び６２のそれぞれを囲むことが可能である。
【００１５】
特定の実施形態においては、中心領域５２及び６２並びに／若しくは周辺領域５４及び６４の大きさ及び位置は変えられることが可能である。例えば、中心領域５２又は６２は、中央から左上角に移動されることが可能である。他の実施例においては、中心領域５２又は６２は、より小さく又はより大きくされることが可能である。特定の実施形態においては、中心領域５２又は６２の大きさ及び位置は、画像５０に従って決定されることが可能である。例えば、画像５０は、移動する所定の要素を有することが可能であり、中心領域５２又は６２は、その要素が移動するところに移動することが可能である。中心領域を変化させる方法の実施例については、図３を参照して下でより詳細に説明する。
【００１６】
集積回路２８は、焦点面アレイ２６の動作を制御する及び／又は焦点面アレイ２６からの信号を処理する。特定の実施形態においては、集積回路２８は、検出器信号を読み出し、出力する。集積回路２８の実施例は読み出し集積回路（ＲｏＩＣ）２８である。集積回路２８は、何れかの適切なプロトコル、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）プロトコル、ＰＡＬ（Ｐｈａｓｅ  Ａｌｔｅｒｎａｔｉｎｇ  Ｌｉｎｅ）プロトコル又はＳＥＣＡＭ（Ｓｅｑｕｅｎｔｉａｌ  Ｃｏｌｏｒ  Ｗｉｔｈ  Ｍｅｍｏｒｙ）プロトコル等に従って、信号を出力することが可能である。
【００１７】
集積回路２８は、焦点面アレイ２６の動作を制御する及び／又は焦点面アレイ２６からの信号を処理する複数の構成要素を有することが可能である。特定の実施形態においては、集積回路２８は、焦点面アレイ２６への電力を制御する電力回路、クロック信号を供給するタイミング回路、焦点面アレイ２６のタイミングと同期する同期回路、焦点面アレイ２６からの信号を増幅する増幅回路、焦点面アレイ２６からの信号をフィルタリングするフィルタ回路、及び／又は焦点面アレイ２６により生成されたビデオ信号をディジタル化するアナログディジタル（Ａ／Ｄ）回路を有する。
【００１８】
演算システム２０は、システム１０の動作を容易にする及び／又はシステム１０の信号を処理する。特定の実施形態においては、画像処理器４４は、ディスプレイ２２に画像を表示するように用いられる画像データを生成するように、カメラ１２からのアレイデータを処理する。画像５０の画素についての画像データは、画素に対応する検出器要素により検出される光の量及び／又は波長を表すことが可能である。焦点面アレイ２６の略全ての走査は、データのフレームを生成する。焦点面データのフレームは、特定の時刻に画像５０を表示するように用いられる画像データのフレームを生成するように用いられることが可能である。複数のフレームは、シーン１２の動画５０を生成するように連続して生成されることが可能である。
【００１９】
特定の実施形態においては、画像処理器４４は他の適切な動作を実行することが可能である。例えば、画像処理器４４は、画像をシャープにするように焦点面データに関するシャープニング（ｓｈａｒｐｅｎｉｎｇ）動作を実行することが可能である。他の実施例としては、画像処理器４４は、色又は輪郭等の特定の特徴を検出する画像認識動作を実行することが可能である。
【００２０】
ディスプレイ５０は、画像データを用いて、シーン１２の画像５０を表示する何れかの適切な装置である。特定の実施形態においては、ディスプレイ５０は、ディスプレイ中心領域６２及びディスプレイ周辺領域６４を有する。ディスプレイ中心領域６２は、中心画像データから画像５０の一部を生成し、その中心画像データはまた、焦点面の中心領域５２からの中心焦点面データから生成される。ディスプレイ周辺領域６４は、周辺画像データから画像５０の一部を生成し、周辺画像データはまた、検出器周辺領域５４からの周辺アレイデータから生成される。
【００２１】
ディスプレイ２２は、何れかの適切な大きさ及び／又は形を有することが可能である。低減された処理は、大きさ及び／又は重量の制約、並びに／若しくは制限された演算及び／又は電力資源を伴う複数の装置におけるアプリケーションを可能にする。特定の実施形態においては、ディスプレイ５０は、画像５０が人間の眼の視野内に適合するように、人間の眼に近接して（例えば、１．１乃至２インチ又は２乃至５インチ）位置付けられるように十分に小さい。そのようなディスプレイの例としては、頭部装着型ディスプレイ（ＨＭＤ）、双眼装置又は望遠鏡等の光学装置の接眼部のためのディスプレイがある。頭部装着型ディスプレイは、ユーザが装着することができ、ユーザの眼の前に位置付けられる比較的小さいコンピュータディスプレイを有する装置である。
【００２２】
動作の特定の実施形態においては、焦点面アレイ２６は、特定の検出器要素を選択的に走査することが可能であるが、他の領域は走査しない。特定の実施形態においては、制御器（駆動回路２８及び／又は画像処理器４４等）は、検出器要素を走査するように焦点面アレイ２６に命令することが可能である。特定の実施形態においては、焦点面アレイ周辺領域５４のより小さい割合が、単位時間にサンプリングされることが可能であり、焦点面アレイ中心領域５２のより大きい割合が、単位時間にサンプリングされることが可能である。実施形態においては、システム１０のデータ処理は、焦点面アレイ周辺領域５４及び焦点面アレイ中心領域５２両方についてより大きい割合をサンプリングするシステムのデータより少ないことが可能である。
【００２３】
特定の実施形態においては、中心アレイ要素は、中心アレイデータを生成するようにより速いサンプリング速度でサンプリングされることが可能であり、周辺アレイ要素は、周辺焦点面アレイデータを生成するようにより遅いサンプリング速度でサンプリングされることが可能である。サンプリング速度は、単位時間当たりにサンプリングされる要素数を表すことが可能である。より速いサンプリング速度の例としては、１秒当たり１０乃至２０、２０乃至３０及び３０乃至それ以上のフレーム数の範囲内の速度がある。より遅いサンプリング速度は、より速いサンプリング速度に比べて小さいサンプリング速度であり、即ち、ＲＳ＜ＲＦであり、ここで、ＲＳはより遅いサンプリングレートを表し、ＲＦはより速いサンプリングレートを表す。より遅いサンプリング速度の例としては、ＲＳ＝（１／ｎ）ＲＦがあり、ここで、ｎは正の整数、例えば、１乃至４、４乃至８、又は８より大きい整数の範囲内の整数である。
【００２４】
図２Ａ乃至２Ｄは、図１のシステム１０により用いられることが可能であるサンプリング焦点面アレイ２６のための方法の実施例を示している。アレイ２６は、中心アレイ要素を有する中心領域１２６及び周辺アレイ要素１３０を有する周辺領域１２８を有する。図示している実施例においては、周辺アレイ要素１３０は副領域１３２に組み込まれる。各々の副領域１３２は、２つ又はそれ以上の周辺アレイ要素１３０を有することが可能であり、何れかの適切な形を有することが可能である。例えば、副領域１３２は、ｍｘｎ個の周辺アレイ要素１３０を有することが可能であり、ｍｘｎ個の四角形であることが可能であり、ここで、ｍは要素１３０の行数を表し、ｎは要素１３０の列数を表す。
【００２５】
各々の副領域１３２は２つ又はそれ以上のサブセット１４０を有することが可能である。各々のサブセット１４０は、フレームについてサンプリングされた１つ又はそれ以上の周辺アレイ要素１３０を有することが可能である。特定の実施例においては、第１サブセット１４０は第１フレームについてサンプリングされ、第２サブセット１４０は第２フレームについてサンプリングされる。図示している実施例においては、副領域３１２は、２ｘ２個の四角形内に配置された４つの周辺アレイ要素１３０を有する。副領域１３２は４つのサブセット１４０を有し、ここで、各々のサブセット１４０は１つの周辺アレイ要素１３０を有する。
【００２６】
中心領域１２６は、より速い走査速度で走査される一方、周辺領域１２８はより遅い走査速度で走査されることが可能である。特定の実施例においては、周辺領域１２８の各々の副領域１３２の適切なサブセットは、フレームについて走査されることが可能である。セットＳの適切なサブセットは、Ｓに厳密に含まれ、故に、Ｓの少なくとも１つのメンバーを外すサブセットである。即ち、副領域１３２の全ての要素が各々のフレームにおいて走査される訳ではない。
【００２７】
特定の実施例においては、副領域１３２における異なる要素は、異なるフレームについて走査されることが可能である。例えば、副領域１３２の第１サブセットは第１フレームについてサンプリングされ、副領域１３２の第２サブセットは第２フレームについてサンプリングされることが可能であり、ここで、第２サブセットは第１サブセットと等しくない。２つのサブセットは、それらが同じ要素を有さない場合に、等しくないのである。等しくないサブセットは、少なくとも１つの共通の要素を有することが可能である、又は共通の要素を有さないことが可能である。
【００２８】
図２Ａ乃至２Ｄは、４つのフレームについての走査を示している。中心領域１２６の実質的に全てが、各々のフレームについて走査される。周辺領域１２８の異なるサブセット１４０が異なるフレームについて走査される。例えば、各々の副領域１３２の左上角のサブセット１４０は、図２Ａに示しているように、第１フレームについて走査されることが可能である。各々の副領域１３２の右下角のサブセット１４０は、図２Ｂに示しているように、第２フレームについて走査されることが可能である。各々の副領域１３２の右上角のサブセット１４０は、図２Ｃに示しているように、第３フレームについて走査されることが可能である。各々の副領域１３２の左下角のサブセット１４０は、図２Ｄに示しているように、第４フレームについて走査されることが可能である。その実施例においては、副領域１３２は、処理負荷の７５％を低減して処理される。
【００２９】
走査は、何れかの適切な様式で適合されることが可能である。例えば、低い電力で実行される場合、サンプリング速度は低下される、又は電力が増加される場合、サンプリング速度は増加されることが可能である。他の実施例としては、ユーザは、より速い又はより遅い走査速度を要求することが可能である。他の実施例としては、システム１０は、シーン１２の速い動きを検出することが可能であり、サンプリング速度を高くすることが可能であり、又はシーン１２の遅い動きを検出することが可能であり、サンプリング速度を低くすることが可能である。
【００３０】
画像処理器４４は、画像５０を生成するように何れかの適切な様式でアレイデータを処理することが可能である。特定の実施例においては、画像処理器４４は、第１フレームについて第１画像データを生成するように、第１サブセット１４０からの周辺アレイデータを処理することが可能である。第１サブセット１４０は、次のフレームについてサンプリングされず、故に、第１画像データは、次のフレームについて用いられない。第１画像データは、何れかの適切な様式で用いられることが可能である。他の実施例としては、第１画像データは、第２サブセット１４０を用いて生成される第２画像データと平均化されることが可能であり、その平均化されたデータは、次のフレームのために用いられることが可能である。特定の実施例においては、画像処理器４４は、第１フレーム及び第２フレームについて第１サブセット１４０を用いて生成される第１画像データを用いることが可能であり、第２フレーム及び第３フレームについて第２サブセット１４０を用いて第２画像データを用いることが可能である。
【００３１】
図３は、焦点面アレイ２６の中心領域の大きさを設定するように用いられることが可能であるメッセージングシーケンス１５０の実施例を示している。メッセージングシーケンス１５０は、システム１０の構成要素、例えば、カメラ１８、演算システム２０及び／又はディスプレイ２２の中のものと通信するように用いられることが可能である。例えば、メッセージングシーケンス１５０は、カメラ１２からディスプレイ２２にアレイデータを、演算システム２０からカメラ１８にカメラ設定又は走査命令を、若しくは画像処理器４４又はディスプレイ２２への画像を表示するための命令を、通信するように用いられることが可能である。
【００３２】
図示されている実施例においては、メッセージングシーケンス１５０はまた、検出器中心領域の大きさを設定する又は変えるように集積回路２８に命令するように用いられることが可能である。メッセージングシーケンス１５０は、中心アレイ要素として指定されたアレイ要素を示す。その実施例においては、メッセージングシーケンス１５０は、中心開始アドレス及び中心終了アドレスを有する。中心開始アドレスは、中心領域の行の開始を示す行開始アドレスであり、又は中心領域の列の開始を示す列開始アドレスであり、又は行開始アドレス及び列開始アドレス両方の組み合わせであることが可能である。中心終了アドレスは、中心領域の行の終了を示す行終了アドレスであり、又は中心領域の列の終了を示す列終了アドレスであり、又は行終了アドレス及び列終了アドレス両方の組み合わせであることが可能である。換言すれば、メッセージングシーケンス１５０は、検出器周辺領域の大きさを設定する又は変えるように集積回路２８を命令するように用いられることが可能である。
【００３３】
特定の実施形態においては、焦点面はマイクロボロメータのアレイであることが可能である。その実施形態においては、サンプリング速度が中心領域に対して変化されるにつれて、マイクロボロメータのジュール熱における変化を適応させることを提供することが可能である。例えば、サンプリング速度が変化されるときに、一定バイアスのデューティサイクルが保たれることが可能である。他の実施例としては、ジュール熱のためのボロメータの抵抗における変化は、マイクロボロメータのバイアス状態又は支援回路における動作バイアスを電気的に調節することにより補償されることが可能である。
【００３４】
本発明の範囲から逸脱することなく、本明細書に開示されているシステム及び装置に対して変更、付加及び省略を行うことが可能である。それらのシステム及び装置の構成要素は統合される又は分離されることが可能である。更に、システム及び装置の動作は、より多い構成要素、より少ない構成要素、又は他の構成要素により実行されることが可能である。例えば、集積回路１２８及び演算システム２０の動作は１つの構成要素により実行されることが可能である、又は画像処理器４４の動作は２つ以上の構成要素により実行されることが可能である。更に、システム及び装置の動作は、ソフトウェア、ハードウェア及び／又は他のロジックを有する何れかの適切なロジックを用いて実行されることが可能である。本明細書で用いている用語“各々”は、セットの各々のメンバー、又はセットのサブセットの各々のメンバーのことをいう。
【００３５】
本発明の範囲から逸脱することなく、本明細書に開示されている方法に対して変更、付加及び省略を行うことが可能である。その方法は、更に多いステップ、少ないステップ、又は他のステップを有することが可能である。更に、複数のステップは、何れかの適切な順序で実行されることが可能である。
【００３６】
本明細書で開示されているシステム及び装置の構成要素は、インタフェース、ロジック、メモリ及び／又は他の適切な要素を有することが可能である。インタフェースは入力を受信し、出力を送信し、入力及び／又は出力を処理し、並びに／若しくは他の適切な動作を実行する。インタフェースは、ハードウェア及び／又はソフトウェアを有することが可能である。
【００３７】
ロジックは、コンピュータの動作を実行し、例えば、入力から出力を生成する命令を実行する。ロジックは、ハードウェア、ソフトウェア及び／又は他のロジックを有することが可能である。ロジックは、１つ又はそれ以上の有体媒体において符号化されることが可能であり、コンピュータにより実行されるときに複数の動作を実行することが可能である。処理器の実施例は、１つ又はそれ以上のコンピュータ、１つ又はそれ以上のマイクロプロセッサ、１つ又はそれ以上のフィールドプログラマブルゲートアレイ、１つ又はそれ以上のディジタル信号処理器、１つ又はそれ以上のアプリケーション及び／又は他のロジックを有する。
【００３８】
特定の実施形態においては、実施形態の動作は、コンピュータプログラム、ソフトウェア、コンピュータ実行可能命令、及び／又はコンピュータにより実行されることが可能である命令により符号化された１つ又はそれ以上のコンピュータ読み出し可能媒体により実行されることが可能である。特定の実施形態においては、実施形態の動作は、ロジック機能を実行するファームウェアにより構成される１つ又はそれ以上のフィールドプログラマブルゲートアレイにより実行されることが可能である。特定の実施形態においては、実施形態の動作は、記憶しているコンピュータプログラムにより具現される、及び／又はコンピュータプログラムにより符号化される、並びに／若しくは記憶された及び／又は符号化されたコンピュータプログラムを有する、１つ又はそれ以上のコンピュータ読み出し可能媒体により実行されることが可能である。
【００３９】
メモリは情報を記憶する。メモリは、１つ又はそれ以上の非遷移、有体、コンピュータ読み出し可能及び／又はコンピュータ実行可能記憶媒体を有することが可能である。メモリの例としては、コンピュータメモリ（例えば、ランダムアクセスメモリ（ＲＡＭ）又は読み出し専用メモリ（ＲＯＭ））、大容量記憶媒体（例えば、ハードディスク）、取り外し記憶媒体（例えば、ＣＤ（Ｃｏｍｐａｃｔ  Ｄｉｓｋ）又はＤＶＤ（Ｄｉｇｉｔａｌ  Ｖｉｄｅｏ  Ｄｉｓｋ））、データベース及び／又はネットワークストレージ（例えば、サーバ）並びに／若しくはコンピュータ読み出し可能媒体がある。
【００４０】
本明細書は、特定の実施形態について開示しているが、当業者は、それらの実施形態の改善及び置き換えについて理解することができる。従って、上記の実施形態についての記載は、この開示を制限するものではない。同時提出の特許請求の範囲により開示されている本発明の主旨及び範囲から逸脱することなく、他の変形、置き換え及び修正が可能である。
【符号の説明】
【００４１】
１２  シーン
１４  オブジェクト
１８  カメラ
２０  演算システム
２２  ディスプレイ
２４  光学系
２６  焦点面アレイ
２８  集積回路
３２  メモリ
３４  ロジック
４０  処理器
４４  画像処理器
５０  画像
５２  中心領域
５４  周辺領域
６２  中心領域
６４  周辺領域
１２６  中心領域
１２８  周辺領域
１３０  周辺アレイ要素
【図１】
0005636307.tif 000002
【図２Ａ】
0005636307.tif 000003
【図２Ｂ】
0005636307.tif 000004
【図２Ｃ】
0005636307.tif 000005
【図２Ｄ】
0005636307.tif 000006
【図３】
0005636307.tif 000007